(57)【要約】【課題】構造が簡易であるとともに、簡単な操作で一定量の液体を速やかに取り出すことができるシーソー弁付き計量容器を提供する。【解決手段】シーソー弁付き計量容器１０は、容器本体１１にキャップ１２が被せられ、該キャップ１２には計量目盛１３が設けられるとともに、流出口１５が設けられている。容器本体１１とキャップ１２との間には仕切板１７を設けられ、該仕切板１７には第１連通孔１８及び第２連通孔１９が開口されている。仕切板１７の容器本体１１側には突出部１７ａが設けられ、該突出部１７ａにはシーソー弁２１の回動軸２２が回動可能に支持されている。シーソー弁２１の第１弁体２３は第１連通孔１８に挿通された第１支持アーム２４を介して仕切板１７よりキャップ１２側に配置されるとともに、第２弁体２５は第２支持アーム２６を介して仕切板１７より容器本体１１側に配置されている。【選択図】図１
2011246180.tif 000002
【特許請求の範囲】
【請求項１】
液体が収容される容器本体にはキャップが被せられ、該キャップには計量目盛が設けられるとともに、前記液体を流出させる流出口が設けられた計量容器において、
容器本体とキャップとの間には仕切板を設け、該仕切板には所定間隔をおいて第１連通孔及び第２連通孔を開口し、仕切板の容器本体側には第１連通孔と第２連通孔の間に回動軸を有するシーソー弁を支持し、その第１弁体が第１連通孔に挿通された第１支持アームを介して仕切板よりキャップ側に配置されるとともに、第２弁体が第２支持アームを介して仕切板より容器本体側に配置されていることを特徴とするシーソー弁付き計量容器。
【請求項２】
前記シーソー弁は、回動軸より第１弁体側の質量が回動軸より第２弁体側の質量より大きくなるように設定されていることを特徴とする請求項１に記載のシーソー弁付き計量容器。
【請求項３】
前記シーソー弁は、その第１支持アームに第１弁体の開弁を所定位置で規制するストッパが設けられていることを特徴とする請求項１又は請求項２に記載のシーソー弁付き計量容器。
【発明の詳細な説明】
【技術分野】
【０００１】
本発明は、醤油、ソース等の液体が収容された収容容器から一定量の液体を取り出すことができるシーソー弁付き計量容器に関する。
【背景技術】
【０００２】
一般に、醤油、ソース、みりん等の液体が収容された収容容器から一定量の液体を取り出す場合には、該収容容器とは別に計量容器を用意し、収容容器内の液体を計量容器に注ぐことにより行われる。しかしながら、このような操作を逐一行うことは面倒であるため、収容容器から一定量の液体を取り出すことができる計量容器が提案されている。
【０００３】
例えば、特許文献１に記載されている簡易計量器は、計量器本体の下部に取付けられた計量カップの底部開口部に弁を設けるとともに、出入口の下部にねじ部を設けて容器の口に螺着されている。そして、この簡易計量器を使用する場合には、容器を傾けて容器内の液体を計量カップ内に注入して所定量を計量した後、ボタンを押して弁を開弁し、計量カップの目盛を見ながら底部開口部から必要量の液体を注ぎ出すことができる。
【０００４】
また、特許文献２に記載されている液体計量装置は、容器の側壁開口に流通パイプが設けられ、該流通パイプ内に第１作動ロッドによって作動する作動ピストンが設けられ、前記流通パイプの外端には作動ピストンによって開閉される液体流出口が形成されている。さらに、流通パイプの下部に下開口が形成され、この下開口の下方に流通パイプと連通して計量パイプが設けられ、該計量パイプの内部に第２作動ロッドにより流出液体量を制御する計量ピストンが設けられている。そして、この液体計量装置を使用する場合には、第１作動ロッドを操作して液体流出口を塞ぐとともに、第２作動ロッドを操作して計量ピストンを計量パイプの下端に移動させておく。この状態で、容器を傾斜させて計量パイプに液体を満たす。続いて、第１作動ロッドによって作動ピストンを移動させて液体流出口を開口するとともに、側壁開口を閉鎖する。その後、計量パイプ内の液体を液体流出口から流出させて取り出すことができる。
【先行技術文献】
【特許文献】
【０００５】
【特許文献１】特開昭６２−１８６７２４号公報
【特許文献２】実用新案登録第３０９５６３９号公報
【発明の概要】
【発明が解決しようとする課題】
【０００６】
しかしながら、特許文献１に記載されている簡易計量器では、液体が収容される容器とは別体で計量カップを容器の上部から側方に張り出すように取付け、その計量カップにはスプリングを有する押ボタンで開閉する弁を設けなければならなかった。このため、装置の部品点数が多く、構造が複雑であった。また、この簡易計量器を使用する場合には、容器を傾けて所定量の液体を計量カップ内に収容した後、押ボタンを押したり、離したりする操作を繰り返して一定量の液体を流出させる必要があった。そのため、操作が面倒で、時間を要するという問題があった。
【０００７】
特許文献２に記載されている液体計量装置では、容器の側部に流通パイプ、第１作動ロッド、作動ピストン等、さらに流通パイプに連通する計量パイプ、第２作動ロッド、計量ピストン等を設ける必要があり、煩雑な機構であった。さらに、この液体計量装置を用いる場合には、作動ピストンと計量ピストンを操作して容器内の液体を計量パイプに導いた後、再度計量ピストンを作動させて一定量の液体を液体流出口から流出させる必要があり、操作が煩雑であって短時間で操作を終了させることはできなかった。
【０００８】
本発明は、このような従来技術に存在する問題点に着目してなされたものであり、その目的とするところは、構造が簡易であるとともに、簡単な操作で一定量の液体を速やかに取り出すことができるシーソー弁付き計量容器を提供することにある。
【課題を解決するための手段】
【０００９】
上記の目的を達成するために、請求項１に記載のシーソー弁付き計量容器は、液体が収容される容器本体にはキャップが被せられ、該キャップには計量目盛が設けられるとともに、前記液体を流出させる流出口が設けられている。そして、容器本体とキャップとの間には仕切板を設け、該仕切板には所定間隔をおいて第１連通孔及び第２連通孔を開口し、仕切板の容器本体側には第１連通孔と第２連通孔の間に回動軸を有するシーソー弁を支持し、その第１弁体が第１連通孔に挿通された第１支持アームを介して仕切板よりキャップ側に配置されるとともに、第２弁体が第２支持アームを介して仕切板より容器本体側に配置されていることを特徴とする。
【００１０】
請求項２に記載のシーソー弁付き計量容器は、請求項１に係る発明において、前記シーソー弁は、回動軸より第１弁体側の質量が回動軸より第２弁体側の質量より大きくなるように設定されていることを特徴とする。
【００１１】
請求項３に記載のシーソー弁付き計量容器は、請求項１又は請求項２に係る発明において、前記シーソー弁は、その第１支持アームに第１弁体の開弁を所定位置で規制するストッパが設けられていることを特徴とする。
【発明の効果】
【００１２】
本発明によれば、次のような効果を発揮することができる。
請求項１に係る発明のシーソー弁付き計量容器では、容器本体とキャップとの間に設けられた仕切板に所定間隔をおいて第１連通孔及び第２連通孔を開口し、仕切板の容器本体側には第１連通孔と第２連通孔の間に回動軸を有するシーソー弁が支持されている。シーソー弁の第１弁体は第１連通孔に挿通された第１支持アームを介して仕切板よりキャップ側に配置されるとともに、第２弁体は第２支持アームを介して仕切板より容器本体側に配置されている。
【００１３】
このため、第１弁体側が下になるようにして容器本体を傾けるとシーソー弁が回動し第１弁体が開弁されて容器本体内の液体が第１連通孔からキャップ内に流入し、キャップ内への流入量を計量目盛で計量することができる。続いて、容器本体を元に戻すとシーソー弁が元に戻るように回動して第１弁体が閉弁され、キャップ内に一定量の液体が保持される。その後、流出口が下になるように容器本体及びキャップを傾けることにより、キャップ内の液体を流出口から流出させることができる。
【００１４】
従って、本発明のシーソー弁付き計量容器によれば、構造が簡易であるとともに、簡単な操作で一定量の液体を速やかに取り出すことができる。
【図面の簡単な説明】
【００１５】
【図１】実施形態におけるシーソー弁付き計量容器を示す要部破断正面図。
【図２】仕切板に取付けられたシーソー弁を拡大して示す断面図。
【図３】仕切板に取付けられたシーソー弁を示す平面図。
【図４】キャップを示す平面図。
【図５】シーソー弁付き計量容器の作用を示す図であって、第１弁体側を下にして容器本体を傾けた状態を示す要部破断部分正面図。
【図６】シーソー弁付き計量容器の作用を示す図であって、図５の状態から容器本体を元に戻した状態を示す要部破断部分正面図。
【図７】シーソー弁付き計量容器の作用を示す図であって、図６の状態から流出口側を下にして容器本体を傾けた状態を示す要部破断部分正面図。
【図８】仕切板に取付けたシーソー弁の別例を示す断面図。
【発明を実施するための形態】
【００１６】
以下、本発明の実施形態を図１〜図７に基づいて詳細に説明する。
図１及び図２に示すように、醤油、ソース、みりん等の液体が収容されるシーソー弁付き計量容器（以下、単に計量容器ともいう）１０の容器本体１１は透明なポリエチレンテレフタレート樹脂（ＰＥＴ）等のポリエステル樹脂により有底円筒状に形成され、その上端部外周面には雄ねじ部１１ａが設けられている。該雄ねじ部１１ａには有蓋円筒状に形成されたキャップ１２の開口端部内周面に螺刻された雌ねじ部１２ａが螺合され、容器本体１１上にキャップ１２が固定されるようになっている。このキャップ１２は、ポリエチレン樹脂等の透明樹脂により形成されている。該キャップ１２にはその軸線方向ｘに延びる線１３ａ及びそれと直交する方向に延びる線１３ｂによる計量目盛（１０、２０及び３０ｍｌ）１３が設けられ、容器本体１１を９０度傾けた場合にも計量できるようになっている。
【００１７】
図１及び図４に示すように、キャップ１２の周壁上部にはキャップ１２内の液体１４を流出させる流出口１５が開口されている。また、キャップ１２内の上端面には、細い吸気管１６が接合され、その外端部は流出口１５の上で開口されるとともに、内端部はキャップ１２内に開口されている。そして、キャップ１２内の液体１４を流出口１５から流出させるとき、又は容器本体１１内の液体１４をキャップ１２内に導くときに吸気管１６から外気を吸引又はキャップ１２内の空気を排出してキャップ１２内外を均圧にし、液体１４の流れを円滑に行うことができるようになっている。
【００１８】
図１及び図３に示すように、容器本体１１とキャップ１２との間にはアクリル樹脂等の硬い透明樹脂により形成された円板状の仕切板１７が固定され、その容器本体１１側の中心部は下方へ膨らんだ突出部１７ａとなっている。この仕切板１７には突出部１７ａを挟んで流出口１５と反対側に円孔状の第１連通孔１８が透設され、流出口１５側に円孔状の第２連通孔１９が透設されている。第１連通孔１８は、第２連通孔１９の直径のほぼ２倍の直径を有するように大きく形成され、容器本体１１内からキャップ１２内への液体１４の流入量を十分に確保できるようになっている。なお、仕切板１７の上面外周とキャップ１２の内周面との間にはゴム製のシールリング２０が配置され、容器本体１１内とキャップ１２内との間が水密にシールされている。
【００１９】
前記突出部１７ａには支持凹部１７ｂが形成され、該支持凹部１７ｂにはポリプロピレン樹脂等の合成樹脂により形成されたシーソー弁２１の回動軸２２が回動可能に支持されている。シーソー弁２１を構成する第１弁体２３は第１連通孔１８を覆うような楕円板状をなし、第１連通孔１８に挿通された断面円弧状の第１支持アーム２４を介して仕切板１７よりキャップ１２側に配置されている。シーソー弁２１を構成する第２弁体２５は第２連通孔１９を覆うような楕円板状をなし、第２支持アーム２６を介して仕切板１７より容器本体１１側に配置されている。第１弁体２３は第２弁体２５よりも大きく形成されている。
【００２０】
前記第１支持アーム２４及び第２支持アーム２６は、ポリプロピレン樹脂等の合成樹脂により、下に凸となる断面円弧状に形成されている。図３に示すように、第１弁体２３の中心（第１連通孔１８の中心）は回動軸２２の中央を介して第２弁体２５の中心（第２連通孔１９の中心）と一直線上に位置している。そして、図２の実線及び二点鎖線に示すように、シーソー弁２１は回動軸２２を中心にして時計方向及び反時計方向に回動し、第１弁体２３及び第２弁体２５が開弁及び閉弁を行うように構成されている。
【００２１】
前記第１支持アーム２４の下面には錘２７が接合され、シーソー弁２１の回動軸２２より第１弁体２３側の質量が回動軸２２より第２弁体２５側の質量より大きくなるように設定されている。そして、仕切板１７上に位置する第１弁体２３が、常には第１連通孔１８を塞ぐようになっている。前記第１支持アーム２４の外面には、第１弁体２３の開弁を所定位置で規制するストッパ２８が突出形成されている。
【００２２】
次に、上記のように構成された計量容器の作用について説明する。
さて、図５に示すように、容器本体１１を流出口１５とは反対側の第１弁体２３側が下になるようにして傾けると、シーソー弁２１は回動軸２２を中心にして第１弁体２３側の質量と第２弁体２５側の質量のバランスに基づく位置を保持しようとする。このため、第１弁体２３が仕切板１７から離れて第１弁体が開弁され、容器本体１１内の液体１４が第１連通孔１８からキャップ１２内に流れる。第１弁体２３の開度が大きくなるとストッパ２８が仕切板１７の下面に係合し、シーソー弁２１の回動が規制される。容器本体１１を水平に近づくまで傾けると、容器本体１１内の液体１４はさらにキャップ１２内に流入する。キャップ１２内に流れ込んだ液体１４は、透明樹脂で形成されたキャップ１２を介して目視によりその計量目盛１３の線１３ｂで計量することができる。なお、容器本体１１は柔軟性を有するＰＥＴで形成されているため、容器本体１１の周壁を指で押圧することによって容器本体１１からキャップ１２内への液体１４の流入量を微調節することができる。
【００２３】
続いて、図６に示すように、容器本体１１を元の位置に戻すと、キャップ１２内の液体１４の質量により第１弁体２３が仕切板１７の上面に密着して閉弁されると同時に、第２弁体２５が仕切板１７の下面に密着して閉弁される。この状態で、キャップ１２内の液体１４量をキャップ１２の計量目盛１３の線１３ａで確認することができる。その後、図７に示すように、流出口１５側を下にして容器本体１１及びキャップ１２を傾けると、キャップ１２内の液体１４が流出口１５から吐出される。このとき、吸気管１６から空気がキャップ１２内に吸入されることから、流出口１５からの液体１４の吐出が円滑に行われる。同時に、容器本体１１内に残存する液体１４が第２弁体２５を押圧して第２弁体２５が仕切板１７の下面に密着することから、第２弁体２５及び第１弁体２３は閉弁された状態が保持される。このようにして、計量容器１０から一定量の液体１４を取り出すことができる。
【００２４】
以上の実施形態によって発揮される効果を以下にまとめて記載する。
(1)  本実施形態の計量容器１０では、前記仕切板１７の容器本体１１側に膨出する突出部１７ａに回動軸２２を有するシーソー弁２１が支持されている。シーソー弁２１の第１弁体２３は第１連通孔１８に挿通された第１支持アーム２４を介して仕切板１７よりキャップ１２側に配置され、第２弁体２５は第２支持アーム２６を介して仕切板１７より容器本体１１側に配置されている。
【００２５】
このため、第１弁体２３側を下にして容器本体１１を傾けるとシーソー弁２１が回動し第１弁体２３が開弁されて容器本体１１内の液体１４を第１連通孔１８からキャップ１２内に導き、キャップ１２内への流入量を計量目盛１３で計量することができる。その状態から容器本体１１を元に戻すとシーソー弁２１が元に戻るように回動して第１弁体２３が閉弁され、キャップ１２内に一定量の液体１４を保持することができる。引き続き、流出口１５を下にして容器本体１１及びキャップ１２を傾けると、キャップ１２内の液体１４を流出口１５から流出させることができる。
【００２６】
従って、計量容器１０によれば、従来の計量装置に比べて構造が非常に簡易であるとともに、簡単な操作で一定量の液体１４を速やかに取り出すことができる。
(2)  前記シーソー弁２１は、回動軸２２より第１弁体２３側の質量が回動軸２２より第２弁体２５側の質量より大きくなるように設定されている。このため、計量容器１０をその軸線方向ｘが鉛直方向となるように置いた場合に第１弁体２３及び第２弁体２５を容易に閉弁させることができる。
【００２７】
(3)  前記シーソー弁２１は、その第１支持アーム２４に第１弁体２３の開弁を所定位置で規制するストッパ２８が設けられている。従って、第１弁体２３が開弁する際に急に大きく開くことはなく、容器本体１１からキャップ１２内への液体１４の急激な流入を避けることができるとともに、シーソー弁２１の開閉を安定した状態で行うことができる。
【００２８】
なお、前記各実施形態を次のように変更して具体化することも可能である。
・  図８に示すように、前記実施形態のシーソー弁２１において、錘２７を省略し、第２弁体２５の上面に第２連通孔１９に挿通される連結部材２９を介して仕切板１７の上方位置に第２連通孔１９より大きい浮力部材３０を設けることもできる。浮力部材３０は、コルク、樹脂発泡体等で形成することができる。この場合、計量容器１０を傾けて容器本体１１内の液体１４がキャップ１２内に流れ込んだとき、キャップ１２内の液体１４によって浮力部材３０に浮力が作用し、第２弁体２５を閉弁させると同時に、第１弁体２３を閉弁させることができる。
【００２９】
・  前記仕切板１７の突出部１７ａをキャップ１２側に設け、その突出部１７ａの支持凹部１７ｂにシーソー弁２１の回動軸２２を支持するように構成することもできる。この場合、第１弁体２３及び第２弁体２５は実施形態と同じ位置に設けられ、ストッパ２８は第２支持アーム２６に設けられる。
【００３０】
・  前記第１弁体２３を第１連通孔１８より大きい平面円形状、平面四角形状等に形成することができ、第２弁体２５を第２連通孔１９より大きい平面円形状、平面四角形状等に形成することができる。
【００３１】
・  前記キャップ１２に設けられている計量目盛１３は、キャップ１２の軸線方向ｘに対して４５度方向などの任意の方向に延びるように形成することができる。
次に、前記実施形態より把握できる技術的思想について以下に記載する。
（イ）前記第１支持アームには錘が取着されていることを特徴とする請求項１から請求項３のいずれか１項に記載のシーソー弁付き計量容器。このように構成した場合、請求項１から請求項３のいずれかに係る発明の効果に加えて、計量容器をその軸線方向が鉛直方向となるように置いた場合に第１弁体及び第２弁体を仕切板に速やかに密着させて容易に閉弁させることができる。
（ロ）前記計量目盛は、キャップの軸線方向及び軸線方向と直交する方向に延びるように形成されていることを特徴とする請求項１から請求項３のいずれか１項に記載のシーソー弁付き計量容器。このように構成した場合、請求項１から請求項３のいずれかに係る発明の効果に加えて、計量容器を傾けて容器本体内の液体をキャップ内に流入させたとき及び計量容器を元に戻したときの双方でキャップ内の液体を計量することができる。
【符号の説明】
【００３２】
１０…シーソー弁付き計量容器、１１…容器本体、１２…キャップ、１３…計量目盛、１４…液体、１５…流出口、１７…仕切板、１８…第１連通孔、１９…第２連通孔、２１…シーソー弁、２２…回動軸、２３…第１弁体、２４…第１支持アーム、２５…第２弁体、２６…第２支持アーム、２８…ストッパ。
【図１】
2011246180.tif 000003
【図２】
2011246180.tif 000004
【図３】
2011246180.tif 000005
【図４】
2011246180.tif 000006
【図５】
2011246180.tif 000007
【図６】
2011246180.tif 000008
【図７】
2011246180.tif 000009
【図８】
2011246180.tif 000010